(57)【要約】      （修正有）【課題】単色光再生型ホログラム画像が再生される画像表示体に関し、特にホログラム画像がコントラスト良好に再生され、その視認性を向上させた画像表示体を提供する。【解決手段】少なくとも単色光10の照射により単色光再生型ホログラム画像が再生される干渉縞が設けられているホログラム形成層5とこのホログラム形成層より大きい屈折率を有する透明薄膜反射層4と再生用単色光を吸収する光吸収層3とをこの相対的順序で基材2上に積層させる。【選択図】図１
2005266398.tif 000002
【特許請求の範囲】
【請求項１】
単色光の照射により単色光再生型ホログラム画像が再生される干渉縞が設けられているホログラム形成層とこのホログラム形成層より大きい屈折率を有する透明薄膜反射層と再生用単色光を吸収する光吸収層とがこの相対的順序で基材上に少なくとも積層されていることを特徴とする画像表示体。
【請求項２】
前記光吸収層の再生用単色光に対する反射率が６０％以下であることを特徴とする請求項１に記載の画像表示体。
【請求項３】
前記基材は、表面が光を散乱する構造を有する材料から構成されていることを特徴とする請求項１または２に記載の画像表示体。
【発明の詳細な説明】
【技術分野】
【０００１】
本発明は、単色光再生型ホログラム画像が再生される画像表示体に関し、特にホログラム画像がコントラスト良好に再生され、その視認性を向上させた画像表示体に関する。
【背景技術】
【０００２】
単色光再生型ホログラムとは、フーリエ変換型ホログラムとも呼ばれ、その表面にホログラム画像を再生する干渉縞が設けられた一種の記録媒体で、このホログラム記録領域に対して特定角度より特定波長の単色光を照射することにより上記ホログラム画像が特定角度に回折、再生されるものである。そして、立体的に画像が再生されることから、従来からディスプレイに広く利用されてきた。
【０００３】
このような単色光再生型ホログラムにおいて再生されるホログラム画像の画像パターンとしては、一般的には文字パターン（文字、数字、アルファベット等）が用いられており、この文字パターンからなるホログラム画像をスリガラス等の再生画像観察用のスクリーンの結像面に結像させることによって、画像パターンの情報内容が目視により確認される（例えば、特許文献１参照。）。
【特許文献１】特開平６−２８２２１６号公報
【発明の開示】
【発明が解決しようとする課題】
【０００４】
上記のような従来の単色光再生型ホログラムでは、ホログラム画像の視認性を向上させるための方法として、アルムニウム、錫等の金属蒸着層や屈折率の高い金属酸化物、金属硫化物等の透明性材料からなる透明蒸着層をホログラム形成層の下面に設ける方法等が採られている。
【０００５】
しかしながら、前者によれば金属蒸着層より下層にある情報を目視することができず、例えば、ホログラム画像とその下の画像を同時に視認したい場合などには使用できない。
【０００６】
一方、後者であればホログラム画像と下層の画像を重ねて視認することは可能であるが、ホログラム画像を再生しようとした場合、照射した単色光がその下層で反射したり散乱することによって、再生画像観察用のスクリーン上における再生ホログラム画像のコントラストが低下し、その視認性が著しく低下する。特に、光散乱性が大きい紙をホログラム形成層を設ける基材として使用した場合には、再生されるホログラム画像は、基材面で発生する散乱光により隠されてしまってほとんど視認できない。
【０００７】
その結果、本来目視可能な状態で再生されるべきホログラム画像が当初意図したようには再生されず、画像の観察者に正しい情報が伝わらないことにもなる。したがって、例えば、商品券等やクレジットカード等の有価証券類の偽造防止対策として、その一部にこのような従来の単色光再生型ホログラムを設けたり貼着した場合には、正しい画像が再生されずに真偽判定が困難になってしまうことがある。
【課題を解決するための手段】
【０００８】
本発明は上記の課題を解決するためになされたもので、請求項１に記載の発明は、単色光の照射により単色光再生型ホログラム画像が再生される干渉縞が設けられているホログラム形成層とこのホログラム形成層より大きい屈折率を有する透明薄膜反射層と再生用単色光を吸収する光吸収層とがこの相対的順序で基材上に少なくとも積層されていることを特徴とする画像表示体である。
【０００９】
また、請求項２に記載の発明は、請求項１に記載の画像表示体において、前記光吸収層の再生用単色光に対する反射率が６０％以下であることを特徴とする。
【００１０】
さらにまた、請求項３に記載の発明は、請求項１または請求項２に記載の画像表示体において、前記基材は、表面が光を散乱する構造を有する材料から構成されていることを特徴とする。
【発明の効果】
【００１１】
本発明の画像表示体は、コントラスト良好なホログラム画像が再生され、視認性が良好な状態で再生画像を観察することができる。そして、ホログラム画像が再生される干渉縞が設けられているホログラム形成層等を積層する基材として紙等の光散乱性が大きいものを用いても、再生光の散乱による画像コントラストの低下が防止でき、設計者が意図した画像を視認性良好な状態で観察させることが可能である。また例えば、商品券やクレジットカード等の有価証券類、特にセキュリティ対策の要求が強い高額有価証券類の偽造防止対策（偽造の発見や抑止）用として、或いはブランド品や高級品等の高価な商品の真正品であることの認証用として、これらの商品類の一部に設けることにより、偽造防止機能や検証機能を付与することが可能となる。
【発明を実施するための最良の形態】
【００１２】
以下、図面を参照して本発明を説明する。
【００１３】
図２には、単色光再生型ホログラム画像が再生される従来の画像表示体の構成及び再生画像の観察の様子が示してある。この画像表示体２１は特定波長の単色光１１０の照射によってホログラム画像の再生が可能であって、透明薄膜反射層２４と、単色光１１０の照射によって単色光再生型ホログラム画像が再生される干渉縞が設けられているホログラム形成層２５とが順次基材２２上に積層されてなるものである。
【００１４】
このような構成になる画像表示体２１のホログラム形成層２５に対して特定の角度から特定波長の単色光１１０を照射すると、ホログラム形成層２５に設けられている干渉縞により回折され、回折された回折光１１１が再生画像観察用のスクリーン２８に到達し、その結像面にホログラム画像を結像・再生する。この時、ホログラム形成層２５と透明薄膜反射層２４を透過して基材２２に達した単色光１１０は散乱し、散乱光１１４が発生することになる。このため、再生画像観察用のスクリーン２８には、回折光１１１だけでなく散乱光１１４も到達することになり、観察者２７は再生画像観察用のスクリーン２８に届く回折光１１１と散乱光１１４の合計を観察することになり、結果としてコントラストの低いホログラム画像を観察することになってしまう。
【００１５】
このように散乱光１１４が発生する理由は、画像表示体２１に散乱光１１４を吸収する機能がないからである。
【００１６】
これに対して、本発明の画像表示体１は、図１にも示すように、単色光の照射により単色光再生型ホログラム画像が再生される干渉縞が設けられているホログラム形成層５とこのホログラム形成層５よりも大きい屈折率を有する透明薄膜反射層４と再生用単色光を吸収する再生単色光吸収層３とが基材２上に積層されてなるものである。
【００１７】
ホログラム形成層５は、アクリル系樹脂、ウレタン系樹脂、ニトロセルロース系樹脂等からなる厚み０．３μｍ〜５μｍ程度の樹脂層であり、干渉縞からなる微細凹凸パターンが賦型されている。
【００１８】
一方、この層の下面に積層されている透明薄膜反射層４は、ホログラム形成層５の構成材料より屈折率が大きい透明性材料を使用し、真空蒸着法、スパッタリング法、ＥＢ蒸着法等の薄膜形成手段により設けられるものである。透明性材料としては、例えば、ＴｉＯ2、ＣｄＳ、ＳｉＯ、Ａｌ2Ｏ3等の材料が挙げられる。
【００１９】
そして、再生単色光吸収層３は、ホログラム形成層５と透明薄膜反射層４を透過してきた単色光が散乱したときにその散乱光を吸収するが、回折光１１はここまで達しないため吸収されない。具体的には、照射する再生単色光１０の波長やホログラム形成層５の構成材料、さらにはホログラム形成層５の干渉縞の構成を考慮し、この再生光の波長域の光を吸収する色材、例えば赤色光で再生する場合は、その補色の青色の色材のような構成材料を使用し、公知の印刷法等の薄膜形成手段により設ける。
【００２０】
散乱光は、基材２にまで到達してはじめて発生するので、基材２と透明薄膜反射層４との間に上記構成材料で再生単色光吸収層３を設けておけば、散乱光のみを効率よく吸収することが可能となり、再生画像観察用のスクリーン８では散乱光の影響をあまり受けることなくホログラム画像がコントラストが高い状態で再生画像観察用のスクリーン８で観察できるようになる。照射された再生単色光の回折は再生単色光吸収層３に到達する前に行われてしまう。
【００２１】
この時、再生単色光吸収層３の再生単色光の吸収率が高ければ、そこで散乱光が効率よく吸収されて再生画像のコントラスト（あるいはＳ／Ｎ比）が向上する。現実的には、吸収率よりも反射率で管理した方が取り扱いが簡単となる。反射率の目安は６０％以下が好ましい。以下、本発明の好ましい実施例を述べる。
【実施例１】
【００２２】
まず、基材として白色の上質紙を４枚用意し、各基材の上に４種類の青インキでそれぞれ再生単色光吸収層をオフセット印刷により設けた、設けられた各再生単色光吸収層の再生単色光に対する反射率は３０％、４０％、５０％、６０％であった。
【００２３】
次に、厚み２５μｍの透明ポリエチレンテレフタレート（ＰＥＴ）フィルムからなる支持体３７上に、空間周波数１０００本／ｍｍの干渉縞が形成されている熱硬化性アクリルポリオール樹脂からなるホログラム形成層３５と、酸化チタンの蒸着薄膜からなる透明薄膜反射層３４（厚み０．５μｍ）と、厚み１０μｍの粘着剤層３５を順次積層して、図３に示す構成の単色光再生型ホログラムシール３９を得た
次に、前記工程で作成した４種類の再生単色光吸収層を設けた積層体の再生単色光吸収層積層上に前記単色光再生型ホログラムシール３９をその粘着剤層３５面で貼着させ、しかる後に支持体３７のみを剥離し、４種類の実施例１に係る画像表示体を得た。
【００２４】
上記のようにして作成した画像表示体に対して、６７０ｎｍの赤色半導体レーザー光（単色再生光）を照射角（基材と単色再生光のなす角）６０度で照射すると共に、単色再生光の照射点の鉛直上方６０ｍｍのところにすりガラス（再生画像観察用のスクリーン）を置き、そこに再生されるホログラム画像を観察した。再生画像の視認性の評価をそれぞれ表１に示す。
【実施例２】
【００２５】
単色光再生型ホログラムシール３９を貼着する部材として、基材（白色の上質紙）上に再生単色光に対する反射率が７０％、８０％、９０％の再生単色光吸収層を設けたものと再生単色光吸収層を設けなかったもの（基材のみ）を用いた以外は実施例１と同様の条件にて比較のための実施例２に係る画像表示体を得た。この各画像表示体に対しても実施例１と同様の条件にて視認性の評価を行った。その結果を表１にそれぞれ示す。
【００２６】
これらのことから、本発明の画像表示体は、従来の画像表示体と比較して、再生されるホログラム画像のコントラストが向上し、視認性が著しく向上することがわかった。またその効果は、再生単色光吸収層３の反射率が６０％以上のもので際立っていた。
【００２７】
【表１】
2005266398.tif 000003
【図面の簡単な説明】
【００２８】
【図１】本発明の画像表示体の構成及び再生画像の観察状態を示す説明図である。
【図２】従来の画像表示体の構成及び再生画像の観察状態を示す説明図である。
【図３】単色光再生型ホログラムシールの概略の断面構成を示す説明図である。
【符号の説明】
【００２９】
１                画像表示体
２、２２          基材
３                再生単色光吸収層
４、２４、３４    透明薄膜反射層
５、２５、３５    ホログラム形成層
７、２７          観察者
８、２８          再生画像観察用のスクリーン
１０、１１０      再生単色光
１１、１１１      回折光
１１４            散乱光
２１              従来の画像表示体
【図１】
2005266398.tif 000004
【図２】
2005266398.tif 000005
【図３】
2005266398.tif 000006